(57)【要約】      （修正有）【課題】安価に形成可能であって導光体に輝度の高い発光部を有するＬＥＤ電球およびこのＬＥＤ電球を装着する照明器具を提供する。【解決手段】ＬＥＤ電球１は、一端側２ａに口金１５が設けられた筐体２と、筐体２の他端側２ｂの端面９ａ側に設けられた複数個のＬＥＤ３と、長手方向の一端側４ｃにＬＥＤ３の放射光を入射する平端面２２、長手方向の他端側４ｄに導光した放射光を外面４ａ側に反射可能に傾斜する傾斜端面２３、平端面２２と傾斜端面２３とを貫通する貫通孔２４および一端側４ｃに取付部２５を有する筒状に形成され、平端面２２が複数個のＬＥＤ３に近接するようにして取付部２５を介して筐体２の他端側２ｂの端面９ａ側に取り付けられた導光体４と、導光体４を覆うように筐体２の他端側２ｂに取り付けられた包囲体５と、筐体２内に設けられ、複数個のＬＥＤ３を点灯する点灯装置６と、を具備している。【選択図】図１
2015049970.tif 000002
【特許請求の範囲】
【請求項１】
一端側に口金が設けられた筐体と；  この筐体の他端側の端面側に設けられた複数個のＬＥＤと；  このＬＥＤの放射光を導光する筒状に形成され、長手方向の一端側に前記ＬＥＤの放射光を入射する平端面、長手方向の他端側に導光した前記放射光を外面側に反射可能に傾斜する傾斜端面、筒状の中心軸において前記平端面と前記傾斜端面とを貫通する貫通孔および前記一端側に取付部を有し、前記平端面が前記複数個のＬＥＤに近接するようにして前記取付部を介して前記筐体の他端側の端面側に取り付けられた導光体と；  この導光体を覆うように前記筐体の他端側に取り付けられた包囲体と；  前記筐体内に設けられ、前記口金を介して給電されて動作し、前記複数個のＬＥＤを点灯する点灯装置と；を具備していることを特徴とするＬＥＤ電球。
【請求項２】
前記導光体は、多角形の筒状に形成され、前記傾斜端面は、多角形の外面同士の交差辺において、隣り合う前記交差辺の一方が頂点となり他方が底点となるＶ字状に形成されていることを特徴とする請求項１記載のＬＥＤ電球。
【請求項３】
請求項１または２記載のＬＥＤ電球と；  このＬＥＤ電球の前記口金が接続されるソケットを有する器具本体と；を具備していることを特徴とする照明器具。
【発明の詳細な説明】
【技術分野】
【０００１】
本発明の実施形態は、光源としてのＬＥＤの放射光を導光体で導光して外部空間に出射するＬＥＤ電球およびこのＬＥＤ電球を装着する照明器具に関する。
【背景技術】
【０００２】
この種のＬＥＤ電球には、導光体の先端部が傾斜面（テーパー）に形成されたものがあり、基端部から導光したＬＥＤの放射光を傾斜面で横方向に屈折させている。この導光体は、ＬＥＤからの放射光が基端部の端面に入射するように、当該端面をＬＥＤに近接させて設けられている。そして、発光体を個々のＬＥＤに対応して配置するＬＥＤ電球が提案されている（例えば特許文献１参照。）。このＬＥＤ電球は、導光体の基端部側の外面に凹凸面が形成され、当該凹凸面からも横方向に放射光を出射させている。  
【０００３】
ＬＥＤ電球は、全方位に均等に放射光を出射して広配光を得るために、複数個のＬＥＤを同一の円周上で等間隔に配置している。そして、導光体は、一般に、ＬＥＤが実装された基板に取り付けられている。  
【０００４】
ところで、礼拝場や結婚式場などにおいて、キャンドルに代替する電球が使用されている。この電球は、キャンドルの置き換えとしてＬＥＤ電球が普及しつつあるが、このＬＥＤ電球は、従来の電球やキャンドルに近似するように、発光部の輝度が高いものが求められている。
【先行技術文献】
【特許文献】
【０００５】
【特許文献１】特開２０１２−２３４７８３号公報（第３頁、第２図）
【発明の概要】
【０００６】
導光体は、個々のＬＥＤに対応して設けられると、例えば基板への取付けに多大の労力を要し、ＬＥＤ電球をコストアップさせるという欠点を有する。また、導光体の基端部側の外面から光を放射させるＬＥＤ電球は、導光体の略全体が発光して見えるため、発光部の輝度が低下し、従来のキャンドルや電球に近似するものが得られないという欠点を有する。  
【０００７】
本実施形態は、安価に形成可能であって導光体に輝度の高い発光部を有するＬＥＤ電球およびこのＬＥＤ電球を装着する照明器具を提供することを目的とする。
【課題を解決するための手段】
【０００８】
本実施形態のＬＥＤ電球は、筐体、ＬＥＤ、導光体、包囲体および点灯装置を有して構成される。  
【０００９】
筐体は、一端側に口金が設けられ、他端側の端面側に複数個のＬＥＤが設けられている。  
【００１０】
導光体は、ＬＥＤの放射光を一端側から他端側に導光するものであり、筒状に形成されている。すなわち、長手方向の一端側に平端面、長手方向の他端側に導光したＬＥＤの放射光を外面側に反射可能に傾斜する傾斜端面、筒状の中心軸において平端面と傾斜端面を貫通する貫通孔および一端側に取付部を有している。そして、導光体は、平端面が複数個のＬＥＤに近接するようにして取付部を介して筐体の他端側の端面側に取り付けられている。  
【００１１】
包囲体は、導光体を覆うように筐体の他端側に取り付けられている。点灯装置は、筐体内に設けられ、口金を介して給電されて動作し、複数個のＬＥＤを点灯するように形成されている。
【発明の効果】
【００１２】
本実施形態のＬＥＤ電球によれば、導光体は、貫通孔を有し、平端面が複数個のＬＥＤに近接するようにして取付部を介して筐体の他端側の端面側に取り付けられるので、導光体を容易に設けることができるとともに、導光体の他端側の傾斜端面で外面側に反射されて出射される放射光の単位面積当たりの光量が多くなって高い輝度となることが期待できる。
【図面の簡単な説明】
【００１３】
【図１】本発明の第１の実施形態を示すＬＥＤ電球の一部切り欠き概略側面図である。
【図２】同上、ＬＥＤ電球の包囲体を取り外した状態の概略上面図である。
【図３】本発明の第２の実施形態を示すＬＥＤ電球の一部切り欠き概略側面図である。
【図４】同上、ＬＥＤ電球の包囲体を取り外した状態の概略上面図である。
【図５】本発明の第３の実施形態を示すＬＥＤ電球の一部切り欠き概略側面図である。
【図６】同上、ＬＥＤ電球の包囲体を取り外した状態の概略上面図である。
【図７】本発明の第４の実施形態を示す照明器具の一部切り欠き概略側面図である。
【発明を実施するための形態】
【００１４】
以下、本発明の一実施の形態について、図面を参照して説明する。まず、本発明の第１の実施形態について説明する。  
【００１５】
本実施形態のＬＥＤ電球１は、図１に示すように、電球用ソケットに着脱されるキャンドル電球タイプのＬＥＤ電球である。ＬＥＤ電球１は、筐体２、ＬＥＤ３、導光体４、包囲体５および点灯装置６を有して構成されている。  
【００１６】
筐体２は、本実施形態においては、高熱伝導率を有する金属材料例えばアルミニウム（Ａｌ）からなる外ケース７および電気絶縁性および高熱伝導性を有する合成樹脂例えばポリブチレンテレフタレート（ＰＢＴ）樹脂からなる取付け体８により形成されている。  
【００１７】
外ケース７は、例えばダイキャストにより、一端側７ａから他端側７ｂに緩やかに径大する略逆円錐台の筒状に形成され、他端側７ｂに内側に突出するダボ９が設けられている。このダボ９は、周回方向に本実施形態では９０゜間隔で４個が形成され、平面状の端面９ａを有している。ダボ９の端面９ａに放熱板１０が載せられている。放熱板１０は、ねじ１１により、端面９ａに固定されている。放熱板１０には、ねじ１１を挿通する挿通孔１２が設けられ、ダボ９にねじ１１のねじ孔１３が設けられている。そして、放熱板１０に、ＬＥＤ３が実装された基板１４が取り付けられている。  
【００１８】
取付け体８は、外ケース７内に挿入され、不図示の取付手段により外ケース７に取り付けられている。取付け体８は、一端側８ａが略円筒状に形成され、他端側８ｂが外ケース７の内面に沿う外形形状の筒状に形成されている。そして、取付け体８は、その一端側８ａ（筐体２の一端側２ａ）の外面に不図示の凸条が螺旋状に形成されていて、この凸条に口金１５が螺合されている。  
【００１９】
口金１５は、例えばＥ１２形であり、凸条に螺合されてかしめられて固定される雄ねじ部１６、この雄ねじ部１６の先端側１６ａに設けられる絶縁部１７およびこの絶縁部１７の底点に設けられる頂上接続部１８を有して構成されている。雄ねじ部１６は、例えばアルミニウム（Ａｌ）からなり、略円筒状に形成され、頂上接続部１８は、例えば真鍮からなり、略円錐台状に形成されている。絶縁部１７は、例えばガラスまたはセラミックからなり、円錐台状に形成されて、雄ねじ部１６に接着されて取り付けられ、底点に頂上接続部１８を設けている。  
【００２０】
雄ねじ部１６および頂上接続部１８は、電球用ソケットを介して外部電源にそれぞれ電気接続される。絶縁部１９は、それぞれ金属である雄ねじ部１６および頂上接続部１８を離間して電気絶縁している。こうして、口金１５は、取付け体８に雄ねじ部１６が取り付けられることにより、筐体２の一端側２ａに設けられている。  
【００２１】
なお、筐体２は、外ケース７が高熱伝導率かつ電気絶縁性を有する合成樹脂やセラミックで形成されるものであれば、取付け体８を外ケース７と一体に成形して形成してもよい。  
【００２２】
放熱板１０に取り付けられた基板１４は、例えば厚さ１．２ｍｍの平面状の合成樹脂板例えばガラスエポキシ板からなり、図２に示すように、外形が例えば正四角形に形成されている。基板１４は、ねじ１９により放熱板１０に密接して取り付けられている。そして、基板１４に複数個のＬＥＤ３が実装されている。  
【００２３】
複数個のＬＥＤ３は、基板１４の一面１４ａ側に同一の円周上で等間隔となるようにして設けられ、図示しない配線パターンにより直列接続されている。直列接続されたＬＥＤ３は、基板１４の一面１４ａ側に設けられたコネクタ２０に接続されている。そして、コネクタ２０に電気接続された出力線２１により、点灯装置６に接続されている。  
【００２４】
ＬＥＤ３は、パッケージ品であり、例えば白色光を放射するものが用いられている。そして、ＬＥＤ３は、点灯装置６から所定の定電流が供給されると、点灯（発光）し、白色光を放射する。こうして、複数個のＬＥＤ３は、筐体２の他端側２ｂの端面９ａ側に設けられている。  
【００２５】
そして、ＬＥＤ３から放射された白色光は、導光体４により導光されて導光体４から出射され、包囲体５を透過して外部空間に出射される。導光体４は、例えばポリカーボネート（ＰＣ）樹脂からなり、図１に示すように、長手方向の一端側４ｃに環状の平端面２２、長手方向の他端側４ｄに環状の傾斜端面２３、平端面２２と傾斜端面２３とを貫通する貫通孔２４および一端側４ｃの外面４ａに取付部２５を有する略円筒状に形成されている。  
【００２６】
平端面２２は、基板１４と平行となる平面状であって、複数個のＬＥＤ３を覆う大きさに形成されている。すなわち、平端面２２は、ＬＥＤ３の放射光を入射するものであり、図２に示すように、ＬＥＤ３を覆う幅Ｗ１とＬＥＤ３の幅Ｗ２とが例えば０．７＊Ｗ１＜Ｗ２＜１．３＊Ｗ１の関係となるように形成されている。傾斜端面２３は、図１に示すように。内面４ｂから外面４ａに傾斜する平面状の傾斜面に形成されている。当該傾斜面は、導光したＬＥＤ３の放射光（白色光）を外面４ａ側に反射可能に、４５°またはその近辺の値例えば４５°±５°に形成されている。  
【００２７】
貫通孔２４は、導光体４の筒状の中心軸（図示しない。）において、平端面２２および傾斜端面２３を貫通する円柱状に形成され、かつ平端面２２が前記幅Ｗ１となるように形成されている。また、取付部２５は、外面４ａから外方に直角に突出して垂下する略四角柱体に形成されている。取付部２５は、本実施形態では、図２に示すように、外面４ａの周回方向に９０°間隔で４個が設けられている。導光体４は、貫通孔２４が設けられることにより、成形性が向上する。  
【００２８】
そして、取付部２５は、ねじ２６により放熱板１０に取り付けられている。すなわち、図１に示すように、取付部２５には、ねじ２６を挿通する挿通孔２７が設けられ、放熱板１０には、ねじ２６の不図示のねじ孔が設けられている。そして、取付部２５は、平端面２２が基板１４に設けられた複数個のＬＥＤ３に近接するように、放熱板１０からの高さが設定されている。こうして、導光体４は、平端面２２が複数個のＬＥＤ３に近接するようにして、４個の取付部２５が筐体２の他端側２ｂの端面９ａ側に取り付けられている。  
【００２９】
そして、導光体４を覆うように筐体２の他端側２ｂに包囲体５が取り付けられている。包囲体５は、透明の樹脂材料例えばポリカーボネート（ＰＣ）樹脂からなり、他端側５ｂが閉塞され一端側５ａが開口された略砲弾形に成型されている。そして、包囲体５は、一端側５ａの係止部２８が筐体２の他端側２ｂの被係止部２９に係止して筐体２に取り付けられている。  
【００３０】
点灯装置６は、筐体２の取付け体８内に設けられている。点灯装置６は、回路基板に多数の電子部品などを実装してなり、電子部品等によりＬＥＤ３を点灯する点灯回路を形成している。そして、点灯装置６は、不図示の入力線が口金１５の雄ねじ部１６および頂上接続部１８に接続されている。また、図２に示すように、出力線２１が放熱板１０の切り欠き部３０を通って基板１４の一面１４ａ側に導出され、出力線２１の先端部に設けたコネクタ２１Ａが基板１４に設けられたコネクタ２０に電気接続されている。点灯装置６は、口金１５を介して外部電源の交流電圧（例えばＡＣ１００Ｖ）が給電されると動作し、出力線２１を介して複数個のＬＥＤ３に所定の電流を供給する。  
【００３１】
次に、本発明の第１の実施形態の作用について述べる。  
【００３２】
ＬＥＤ電球１は、照明器具の電球用ソケットに装着される。そして、口金１５に外部電源の交流電圧が印加すると、点灯装置６が動作し、点灯装置６から複数個のＬＥＤ３に所定の電流（電力）が供給される。複数個のＬＥＤ３は、点灯し、白色光を放射する。白色光は、導光体４の平端面２２から導光体４内に入射する。ここで、平端面２２は、複数個のＬＥＤ２
２に近接しているとともに、複数個のＬＥＤ２２を覆う大きさであるので、ＬＥＤ３から放射された白色光は、略全光量が導光体４内に入射する。  
【００３３】
そして、導光体４内に入射した白色光は、導光体４の一端側４ｃから他端側４ｄに伝播し、傾斜端面２３に達する。白色光の一部は、傾斜端面２３を通過して導光体４の長手方向に沿う前方側に出射される。また、白色光の一部は、傾斜端面２３で外面４ａ側に屈折されて導光体４の側方側に出射される。傾斜端面２３は、４５°またはその近辺の勾配で形成されているので、傾斜端面２３で屈折（反射）された白色光は、導光体４の長手方向に直交する横方向側に出射する。ここで、導光体４は、貫通孔２４が設けられているので、傾斜端面２３で屈折される単位面積当たりの光量が多くなる。これにより、傾斜端面２３が外部から眩しく（明るく）光って見えるようになる。  
【００３４】
また、複数個のＬＥＤ３は、基板１４の一面１４ａ側において、同一の円周上に等間隔に配置され、傾斜端面２３は、平面状であって環状に形成されているので、傾斜端面２３で屈折される白色光は、導光体４の周回においてほぼ同等となる。導光体４から出射された白色光は、透明の包囲体５を透過して外部空間に出射される。  
【００３５】
本実施形態のＬＥＤ電球１によれば、導光体４は、貫通孔２４が設けられ、平端面２２が複数個のＬＥＤ３を覆う大きさに形成されて複数個のＬＥＤ３に近接しているので、複数個のＬＥＤ３から放射された白色光のほぼ全光量を導光体４内に入射して傾斜端面２３側に導光させて横方向に反射し出射することができるとともに、傾斜端面２３での単位面積当たりの反射光を多くすることができて、これにより、傾斜端面２３が眩しく光って見えて高輝度にすることができるという効果を有する。  
【００３６】
また、ＬＥＤ電球１は、複数個のＬＥＤ２２に近接するように複数個の取付部２５が筐体２の他端側２ｂの端面９ａに取り付けられた放熱板１０に取り付けられるので、導光体４に複数個のＬＥＤ３から放射された白色光を入射可能にして導光体４を容易に筐体２の他端側２ｂの端面９ａ側に取り付けることができ、これにより、安価に形成できるという効果を有する。また、導光体４は、貫通孔２４が設けられているので、成形性が向上し、これにより、ＬＥＤ電球１を安価に形成可能であるという効果を有する。  
【００３７】
なお、本実施形態において、導光体４の複数個の取付部２５は、一端側４ｃの外面４ａに設けたが、これに限らず、一端側４ｃの内面４ｂに設けてもよいものである。この場合、複数個の取付部４は、基板１４に例えば木ねじによって取り付けるようにしてもよく、基板１４を通して放熱板１０に取り付けるようにしてもよい。また、導光体４は、一端側４ｃの取付部２５に取付体を引っ掛け、当該取付体をねじによって基板１４または放熱板１０に固定し、取付体によって押さえ付けて固定してもよい。すなわち、導光体４は、取付部２５を介して筐体２の他端側２ｂの端面９ａ側に取り付けられればよい。  
【００３８】
また、ＬＥＤ３は、パッケージ品を用いたが、これに限らず、ＬＥＤベアチップを用いて形成してもよい。また、包囲体５は、略砲弾形でなくてもよく、他端側５ｂが閉塞され一端側５ａが開口されていればその形状が限定されるものでなく、例えば椀状や正方形の箱状であってもよい。また、包囲体５は、透光性のガラスで形成されてもよい。また、本実施形態の筐体２は、滑らかに径大する略円錐台の筒状に限らず、円筒や角筒などの筒状であってもよい。また、口金１５は、Ｅ形の口金に限らず、差し込み形の口金であってもよい。また、導光体４の傾斜端面２３に反射膜などの反射手段を設けてもよい。  
【００３９】
次に、本発明の第２の実施形態について説明する。  本実施形態のＬＥＤ電球３１は、図３および図４に示すように構成される。すなわち、ＬＥＤ電球３１は、図１に示すＬＥＤ電球１において、導光体４に替えて導光体３２が設けられたものである。なお、図３および図４において、図１および図２と同一部分には、同一符号を付して説明は省略する。  
【００４０】
導光体３２は、正四角形の筒状に形成されている。これにより、平端面２２は、図４に示すように、上面視正四角形に形成されている。そして、複数個のＬＥＤ３は、基板１４の一面１４ａ側において、正四角形の環周上に等間隔となるように設けられている。図４において、１辺当たり１個のＬＥＤ３が配置されているが、１辺当たり複数個のＬＥＤ３が設けられていてもよい。平端面２２は、図２において説明したようにして、複数個のＬＥＤ３を覆う大きさに形成されている。  
【００４１】
また、導光体３２は、傾斜端面２３が外面３２ａとの境界において、周回方向に所定の間隔で長手方向の一端側３２ｃに向かってＶ字状の切り欠き部３３に形成されている。そして、この切り欠き部３３は、そのＶ字状の底点３３ａが正四角形の外面３２ａ，３２ａ同士の交差辺３４に位置し、そのＶ字状の頂点３３ｂが各辺の中間に位置するように形成されている。また、切り欠き部３３は、図３に示すように、Ｖ字状の底点３３ａの頂点３３ｂからの深さＤ１，Ｄ２が異なるように形成されている。  
【００４２】
本実施形態のＬＥＤ電球３１によれば、傾斜端面２３は、Ｖ字状の切り欠き部３３が形成されているので、周回方向で傾斜端面２３の光が異なって見えて、演出が図れるという効果を有する。特に、切り欠き部３３の底点３３ａの深さＤ１，Ｄ２が異なることにより、傾斜端面２３の光の見え方が多様化されるという効果を有する。また、切り欠き部３３の底点３３ａが正四角形の外面３２ａ，３２ａ同士の交差辺３４に位置することにより、交差辺３４により傾斜端面２３の光の見え方が阻害されにくいという効果を有する。  
【００４３】
なお、本実施形態において、導光体３２は、正四角筒状に限らず、正六角筒状や正八角筒状など多角形の筒状であってもよい。また、切り欠き部３３は、円筒状の導光体４に形成するものであってもよい。  
【００４４】
次に、本発明の第３の実施形態について説明する。  本実施形態のＬＥＤ電球４１は、図５および図６に示すように構成される。すなわち、ＬＥＤ電球４１は、図３に示すＬＥＤ電球３１において、導光体３２に替えて導光体４２が設けられたものである。なお、図５および図６において、図３および図４と同一部分には、同一符号を付して説明は省略する。  
【００４５】
導光体４２は、他端側４２ｄの形状が異なる以外、導光体３２と同様に形成されている。導光体４２は、傾斜端面２３が周回方向でＶ字状に形成され、図６に示すように、上面視対角線上の交差辺４４，４４がＶ字状の頂点４３ｂ，４３ｂとなり、交差辺４５，４５がＶ字状の底点４３ａ，４３ａとなるように形成されている。すなわち、傾斜端面２３は、正四角形の外面４２ａ，４２ａ同士の交差辺４４，４５において、隣り合う交差辺４４，４５の一方が頂点５３ｂとなり他方が底点４３ａとなるＶ字状に形成されている。  
【００４６】
傾斜端面２３は、導光体４２の周回方向で２つのＶ字状に形成されている。なお、Ｖ字状の底点４３ａの頂点４ａからの深さＤ１は、本実施形態では、図５に示すように、周回方向で同一としているが、異なるように形成されてもよい。  
【００４７】
本実施形態のＬＥＤ電球４１によれば、傾斜端面２３は、導光体４２の周回方向において、隣り合う交差辺４４，４５の一方が頂点５３ｂとなり他方が底点４３ａとなるＶ字状に形成されるので、周回方向でＶ字状を容易に形成することができるとともに、周回方向で傾斜端面２３の光が異なって見えて、多様な演出を図ることができるという効果を有する。  
【００４８】
次に、本発明の第４の実施形態について説明する。  本実施形態の照明器具５１は、図７に示すように構成される。なお、図１と同一部分には、同一符号を付して説明は省略する。  
【００４９】
照明器具５１は、机や棚などの設置台５２に設置される置灯であり、外形が有底の円筒状である器具本体５３に図１に示すＬＥＤ電球１の口金１５（図示しない。）が取り付けられるソケットとしての電球用ソケット５４が配設されている。器具本体５３は、灰皿状に形成された取付け台５５に不図示のねじにより取り付けられている。そして、取付け台５５は、そのフランジ部５６が不図示のねじにより設置台５２に取り付けられている。すなわち、取付け台５５は、設置台５２に固定されている。  
【００５０】
そして、器具本体５３は、先端にプラグ５７を有する電源コード５８を接続している。プラグ５７は、配線コード５９のソケット６０に差し込まれて接続されている。これにより、電源コード５８等を介して電球用ソケット５４に外部電源が供給される。そして、ＬＥＤ電球１は、電球用ソケット５４に装着されている。ＬＥＤ電球１は、図示しない壁スイッチのオンオフ操作に応じて点灯される。そして、包囲体５から放射された白色光が周囲の外部空間を照明する。  
【００５１】
本実施形態の照明器具５１よれば、安価に形成可能であって高輝度の発光部を有するＬＥＤ電球１を具備するので、ランニングコストを低減できるとともに、従来のキャンドルや電球のように眩しい放射光で外部空間を照明できるという効果を有する。  
【００５２】
なお、本実施形態の照明器具は、埋め込み形、吊り下げ形や直付け形の照明器具であってもよい。  
【００５３】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５４】
１，３１，４１…ＬＥＤ電球、  ２…筐体、  ３…ＬＥＤ、  ４，３２，４２…導光体、  ５…包囲体、  ６…点灯装置、  １５…口金、  ２２…平端面、  ２３…傾斜端面、  ２４…貫通孔、  ２５…取付部、  ５１…照明器具、  ５３…器具本体、  ５４…ソケットとしての電球用ソケット
【図１】
2015049970.tif 000003
【図２】
2015049970.tif 000004
【図３】
2015049970.tif 000005
【図４】
2015049970.tif 000006
【図５】
2015049970.tif 000007
【図６】
2015049970.tif 000008
【図７】
2015049970.tif 000009